(57)【要約】【課題】導光体の薄型化を図りつつ、互いに異なる位置から入射した光を同一の光路で効率良く導光させることを可能とした車両用灯具を提供する。【解決手段】第１の光源７Ａと第２の光源７Ｂとの何れか一方の光源７Ａから出射された光Ｌの一部Ｌ４が、第１の入射部１１Ａと第２の入射部１１Ｂとの何れか一方の入射部１１Ａから入射し、突合部１６ｃよりも導光部１３側を通過して、何れか他方の入射部１１Ｂから何れか他方の光源７Ｂに向けて出射された後、他方の光源７Ｂで反射されることによって、他方の光源７Ｂで反射された光Ｌ４の一部が、他方の入射部１１Ｂから入射した後、傾斜面１６ｂにより導光部１３側へと反射される。【選択図】図１１
2019200927.tif 000002
【特許請求の範囲】
【請求項１】
互いに対向した状態で配置された第１の光源及び第２の光源と、
前記第１の光源及び前記第２の光源からの光を互いに同一方向に向けて導光させる導光体とを備え、
前記導光体は、前記第１の光源及び前記第２の光源に各々対向して配置されて、前記第１の光源及び前記第２の光源から出射された光が入射する第１の入射部及び第２の入射部と、
前記第１の入射部と前記第２の入射部との間に位置して互いに逆向きに傾斜した一対の傾斜面と、前記一対の傾斜面が突き合わされた突合部とを含み、前記第１の入射部及び前記第２の入射部から入射した光を前記一対の傾斜面により互いに同一方向に向けて反射する反射部と、
前記反射部で反射された光を導光させる導光部とを有し、
前記第１の光源と前記第２の光源との何れか一方の光源から出射された光の一部が、前記第１の入射部と前記第２の入射部との何れか一方の入射部から入射し、前記突合部よりも前記導光部側を通過して、何れか他方の入射部から何れか他方の光源に向けて出射された後、前記他方の光源で反射されることによって、前記他方の光源で反射された光の一部が、前記他方の入射部から入射した後、前記傾斜面により前記導光部側へと反射されることを特徴とする車両用灯具。
【請求項２】
前記突合部は、前記第１の光源及び前記第２の光源から出射される光の光軸よりも前記導光部側に位置することを特徴とする請求項１に記載の車両用灯具。
【請求項３】
前記第１の入射部及び前記第２の入射部は、前記第１の光源及び前記第２の光源から放射状に出射された光を平行化又は集光しながら、前記導光体の内部へと入射することを特徴とする請求項１又は２に記載の車両用灯具。
【請求項４】
前記導光体は、前記反射部で反射された光を前記導光部の内部で導光しながら、前記導光部の背面側に設けられた複数の反射カットにより反射された光を前記導光部の正面側から外部へと出射することによって、前記導光部の正面側に設けられた発光部を発光させることを特徴とする請求項１〜３の何れか一項に記載の車両用灯具。
【請求項５】
前記第１の光源及び前記第２の光源は、前記反射部から前記導光部に向けて反射される光の進行方向とは交差する方向に互いに対向した状態で複数並んで設けられていることを特徴とする請求項１〜４の何れか一項に記載の車両用灯具。
【請求項６】
前記第１の光源と前記第２の光源とは、互いに異なる色光を出射することを特徴とする請求項１〜５の何れか一項に記載の車両用灯具。
【発明の詳細な説明】
【技術分野】
【０００１】
本発明は、車両用灯具に関する。
【背景技術】
【０００２】
従来より、車両に搭載される車両用灯具として、発光ダイオード（ＬＥＤ）などの光源と、棒状や板状などの導光体とを組み合わせたものがある（例えば、下記特許文献１，２を参照。）。このような車両用灯具では、光源から出射された光を導光体の基端側から入射し、導光体の先端側に向けて光を導光させると共に、導光体の背面側に設けられた複数の反射カットにより反射された光を導光体の正面側から出射することによって、導光体の正面側を発光させる。
【０００３】
また、近年の車両用灯具では、デザインの多様化によって、導光体を色光の異なる光源からの光により相互に発光させることが行われている。このような車両用灯具の組み合わせとしては、例えば、車両の前端側の両コーナー部に搭載される車両用灯具として、白色発光する車幅灯（ポジションランプ）と、橙色発光する方向指示器（ターンランプ）とを組み合わせたものや、車両の後端側の両コーナー部に搭載される車両用灯具として、赤色発光する尾灯（テールランプ）と、橙色発光する方向指示器（ターンランプ）とを組み合わせたものなどがある。
【先行技術文献】
【特許文献】
【０００４】
【特許文献１】特開２０１２−４００４号公報
【特許文献２】特開２０１４−７５３３１号公報
【発明の概要】
【発明が解決しようとする課題】
【０００５】
ところで、上述した導光体を色光の異なる光源からの光により発光させる場合、色光の異なる光源を別々に配置し、それぞれの光源からの光を導光体の異なる位置から入射させた後、互いに同一方向に向けて導光させる必要がある。しかしながら、この場合、各光源から出射された光が入射する位置（入射部）の構造が複雑化するだけでなく、導光体の大型化を招く虞れがある。
【０００６】
また、互いに異なる位置（入射部）から光を入射させた場合、それぞれの入射部から入射する光の光路の違いによって、それぞれの光路の違いに応じた導光体の設計が必要となる。例えば、互いに対向する光源から出射された光を導光体の厚み方向の両側に設けられた入射部から入射し、互いに逆向きに傾斜した一対の傾斜面により互いに同一方向に向けて反射させた場合、一対の傾斜面により反射された光は、導光体の厚み方向において異なる光路で導光されることになる。この場合、導光体の厚みを増加（具体的には２倍に）しなければならず、導光体の大型化を招くことになる。
【０００７】
本発明は、このような従来の事情に鑑みて提案されたものであり、導光体の薄型化を図りつつ、互いに異なる位置から入射した光を同一の光路で効率良く導光させることを可能とした車両用灯具を提供することを目的とする。
【課題を解決するための手段】
【０００８】
上記目的を達成するために、本発明は以下の手段を提供する。
〔１〕  互いに対向した状態で配置された第１の光源及び第２の光源と、
前記第１の光源及び前記第２の光源からの光を互いに同一方向に向けて導光させる導光体とを備え、
前記導光体は、前記第１の光源及び前記第２の光源に各々対向して配置されて、前記第１の光源及び前記第２の光源から出射された光が入射する第１の入射部及び第２の入射部と、
前記第１の入射部と前記第２の入射部との間に位置して互いに逆向きに傾斜した一対の傾斜面と、前記一対の傾斜面が突き合わされた突合部とを含み、前記第１の入射部及び前記第２の入射部から入射した光を前記一対の傾斜面により互いに同一方向に向けて反射する反射部と、
前記反射部で反射された光を導光させる導光部とを有し、
前記第１の光源と前記第２の光源との何れか一方の光源から出射された光の一部が、前記第１の入射部と前記第２の入射部との何れか一方の入射部から入射し、前記突合部よりも前記導光部側を通過して、何れか他方の入射部から何れか他方の光源に向けて出射された後、前記他方の光源で反射されることによって、前記他方の光源で反射された光の一部が、前記他方の入射部から入射した後、前記傾斜面により前記導光部側へと反射されることを特徴とする車両用灯具。
〔２〕  前記突合部は、前記第１の光源及び前記第２の光源から出射される光の光軸よりも前記導光部側に位置することを特徴とする前記〔１〕に記載の車両用灯具。
〔３〕  前記第１の入射部及び前記第２の入射部は、前記第１の光源及び前記第２の光源から放射状に出射された光を平行化又は集光しながら、前記導光体の内部へと入射することを特徴とする前記〔１〕又は〔２〕に記載の車両用灯具。
〔４〕  前記導光体は、前記反射部で反射された光を前記導光部の内部で導光しながら、前記導光部の背面側に設けられた複数の反射カットにより反射された光を前記導光部の正面側から外部へと出射することによって、前記導光部の正面側に設けられた発光部を発光させることを特徴とする前記〔１〕〜〔３〕の何れか一項に記載の車両用灯具。
〔５〕  前記第１の光源及び前記第２の光源は、前記反射部から前記導光部に向けて反射される光の進行方向とは交差する方向に互いに対向した状態で複数並んで設けられていることを特徴とする前記〔１〕〜〔４〕の何れか一項に記載の車両用灯具。
〔６〕  前記第１の光源と前記第２の光源とは、互いに異なる色光を出射することを特徴とする前記〔１〕〜〔５〕の何れか一項に記載の車両用灯具。
【発明の効果】
【０００９】
以上のように、本発明によれば、導光体の薄型化を図りつつ、互いに異なる位置から入射した光を同一の光路で効率良く導光させることを可能とした車両用灯具を提供することが可能である。
【図面の簡単な説明】
【００１０】
【図１】本発明の一実施形態に係る車両用灯具の構成を示す斜視図である。
【図２】図１に示す車両用灯具の構成を示す分解斜視図である。
【図３】図２に示す車両用灯具が備える灯具ユニットの構成を示す分解斜視図である。
【図４】図３に示す灯具ユニットが備える導光体の構成を示す上面図である。
【図５】図３に示す灯具ユニットが備える導光体の構成を示す正面図である。
【図６】図５中に示す線分Ａ−Ａによる導光体の断面図である。
【図７】図６中に示す囲み部分Ｂを拡大した導光体の断面図である。
【図８】図４中に示す線分Ｃ−Ｃによる導光体の断面図である。
【図９】図４中に示す線分Ｄ−Ｄによる導光体の断面図である。
【図１０】図８に示す方向から見た第１の光源から出射された光の光路を示す断面図である。
【図１１】図９に示す方向から見た第１の光源から出射された光の光路を示す断面図である。
【発明を実施するための形態】
【００１１】
以下、本発明の実施形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らない。
【００１２】
本発明の一実施形態として、例えば図１〜図１１に示す車両用灯具１について説明する。
なお、図１は、車両用灯具１の構成を示す斜視図である。図２は、車両用灯具１の構成を示す分解斜視図である。図３は、車両用灯具１が備える灯具ユニット２の構成を示す分解斜視図である。図４は、灯具ユニット２が備える導光体９の構成を示す上面図である。図５は、灯具ユニット２が備える導光体９の構成を示す正面図である。図６は、図５中に示す線分Ａ−Ａによる導光体９の断面図である。図７は、図６中に示す囲み部分Ｂを拡大した導光体９の断面図である。図８は、図４中に示す線分Ｃ−Ｃによる導光体９の断面図である。図９は、図４中に示す線分Ｄ−Ｄによる導光体９の断面図である。図１０は、図８に示す方向から見た第１の光源７Ａから出射された光Ｌの光路を示す断面図である。図１１は、図９に示す方向から見た第１の光源７Ａから出射された光Ｌの光路を示す断面図である。
【００１３】
また、以下に示す図面では、ＸＹＺ直交座標系を設定し、Ｘ軸方向を車両用灯具１の前後方向（長さ方向）、Ｙ軸方向を車両用灯具１の左右方向（幅方向）、Ｚ軸方向を車両用灯具１の上下方向（高さ方向）として、それぞれ示すものとする。
【００１４】
本実施形態の車両用灯具１は、例えば、車両（図示せず。）の前端側の両コーナー部（本実施形態では左前端側のコーナー部）に搭載されるものであり、白色発光する車幅灯（ポジションランプ）と、橙色発光で点滅する方向指示器（ターンランプ）とを組み合わせたポジションランプ兼ターンランプからなる。
【００１５】
具体的に、本実施形態の車両用灯具１は、図１及び図２に示すように、ポジションランプ兼ターンランプとして機能する灯具ユニット２を備えている。灯具ユニット２は、前面（正面）が開口したハウジング３と、このハウジング３の前面側を閉塞すると共に、灯具ユニット２に対応した開口部４ａを有するレンズカバー４とにより構成される灯体５の内側に配置されている。また、レンズカバー４の開口部４ａには、透明なアウターレンズ６が取り付けられている。
【００１６】
灯具ユニット２は、図２及び図３に示すように、複数（本実施形態では３つ）の第１の光源７Ａ及び複数（本実施形態では３つ）の第２の光源７Ｂと、第１の回路基板８Ａ及び第２の回路基板８Ｂと、導光体９と、ブラケット１０とを備えている。
【００１７】
複数の第１の光源７Ａは、ポジションランプ用光源として、白色光（以下、単に光という。）を発するＬＥＤからなる。また、ＬＥＤには、車両照明用の高出力（高輝度）タイプのもの（例えばＳＭＤ ＬＥＤなど。）を使用している。複数の第１の光源７Ａは、このＬＥＤを駆動する駆動回路が設けられた第１の回路基板８Ａの下面側に、前後方向に等間隔に並んで実装されている。これにより、複数の第１の光源７Ａは、光を下方に向けて放射状に出射する。
【００１８】
複数の第２の光源７Ｂは、ターンランプ用光源として、橙色光（以下、単に光という。）を発するＬＥＤからなる。また、ＬＥＤには、車両照明用の高出力（高輝度）タイプのもの（例えばＳＭＤ ＬＥＤなど。）を使用している。複数の第２の光源７Ｂは、このＬＥＤを駆動する駆動回路が設けられた第２の回路基板８Ｂの上面側に、前後方向に等間隔に並んで実装されている。これにより、複数の第２の光源７Ｂは、光を上方に向けて放射状に出射する。
【００１９】
第１の回路基板８Ａと第２の回路基板８Ｂとは、複数の第１の光源７Ａと複数の第２の光源７Ｂとが各々対向するように、導光体９を挟んで互いに対向した状態で配置されている。すなわち、複数の第１の光源７Ａと複数の第２の光源７Ｂとは、後述する導光体９の反射部１２から導光部１３に向けて反射される光の進行方向とは交差する方向に互いに対向した状態で並んで設けられている。
【００２０】
導光体９は、図４〜図９に示すように、インナーレンズとして、全体として略三角平板状に形成されて、その主面が水平方向に対して平行となる向きで配置されている。なお、導光体９には、例えばポリカーボネイトやアクリル等の各光源７Ａ，７Ｂが発する光に対して透明な樹脂やガラスなど、空気よりも屈折率の高い材質のものを用いることができる。
【００２１】
導光体９は、複数（本実施形態では３つ）の第１の入射部１１Ａ及び複数（本実施形態では３つ）の第２の入射部１１Ｂと、反射部１２と、導光部１３とを有している。
【００２２】
複数の第１の入射部１１Ａは、複数の第１の光源７Ａに各々対向するように、導光体９の上面における基端側の端部に沿って前後方向に等間隔に並んで設けられている。第１の入射部１１Ａは、第１の光源７Ａと対向する部分の中央に位置して、第１の光源７Ａから出射された光Ｌの一部が入射する凸面状の第１の集光入射面１４ａと、第１の集光入射面１４ａの周囲を囲む位置から第１の光源７Ａ側に突出した突出部１５の内周側に位置して、第１の光源７Ａから出射された光Ｌの一部が入射する第２の集光入射面１４ｂと、突出部１５の外周側に位置して、第２の集光入射面１４ｂから入射した光Ｌを反射部１２に向けて反射する集光反射面１４ｃとを有している。
【００２３】
複数の第２の入射部１１Ｂは、複数の第２の光源７Ｂに各々対向するように、導光体９の下面における基端側の端部に沿って前後方向に等間隔に並んで設けられている。第２の入射部１１Ｂは、第１の入射部１１Ａと同じ構成（形状）を有している。
【００２４】
すなわち、この第２の入射部１１Ｂは、第２の光源７Ｂと対向する部分の中央に位置して、第２の光源７Ｂから出射された光Ｌの一部が入射する凸面状の第１の集光入射面１４ａと、第１の集光入射面１４ａの周囲を囲む位置から第２の光源７Ｂ側に突出した突出部１５の内周側に位置して、第２の光源７Ｂから出射された光Ｌの一部が入射する第２の集光入射面１４ｂと、突出部１５の外周側に位置して、第２の集光入射面１４ｂから入射した光Ｌを反射部１２に向けて反射する集光反射面１４ｃとを有している。
【００２５】
各第１の入射部１１Ａ及び各第２の入射部１１Ｂでは、図１０に示すように、各第１の光源７Ａ及び各第２の光源７Ｂから出射された光Ｌのうち、第１の集光入射面１４ａから入射した光Ｌ１を光軸寄りに集光させる。一方、第２の集光入射面１４ｂから入射した光Ｌ２を集光反射面１４ｃで反射（全反射）させることによって光軸寄りに集光させる。
【００２６】
これにより、各第１の入射部１１Ａ及び各第２の入射部１１Ｂでは、各第１の光源７Ａ及び各第２の光源７Ｂから放射状に出射された光Ｌ（Ｌ１，Ｌ２）を平行化又は集光しながら、突出部１５（導光体９）の内部へと入射することができる。
【００２７】
反射部１２は、図９に示すように、複数の第１の入射部１１Ａと複数の第２の入射部１１Ｂとの間、すなわち、導光体９の基端側の端部に位置している。反射部１２は、互いに逆向きに傾斜した一対の傾斜面１６ａ，１６ｂと、一対の傾斜面１６ａ，１６ｂが突き合わされた突合部１６ｃとを有している。
【００２８】
一対の傾斜面１６ａ，１６ｂは、各第１の光源７Ａ及び各第２の光源７Ｂから出射された光Ｌの光軸ＡＸに対して４５°の角度で導光部１３側に向けて互いに逆向きに傾斜して設けられている。これにより、一対の傾斜面１６ａ，１６ｂは、導光体９の基端側の端部を前後方向に切り欠くＶ字状の溝部１６を構成している。
【００２９】
突合部１６ｃは、この溝部１６の底部に位置している。また、突合部１６は、各第１の光源７Ａ及び各第２の光源７Ｂから出射される光Ｌの光軸ＡＸよりも導光部１３側に位置している。
【００３０】
本実施形態では、図１１に示すように、光Ｌの光軸ＡＸと導光部１３の中心軸ラインとが交差する位置を点Ｏとし、突合部１６ｃの位置を点Ｐとし、導光部１３の主面（上面及び下面）に沿った水平ラインと傾斜面１６ａ，１６ｂとが交差する位置を点Ｑとし、点Ｑを通る光Ｌの光軸ＡＸと平行な鉛直ラインと導光部１３の中心軸ラインとが交差する位置を点Ｒとしたときに、線分ＯＰと線分ＯＲとが等しくなっている（ＯＰ＝ＯＲ）。
【００３１】
また、点Ｏから導光部１３側へと偏倚した点Ｐ（突合部１６ｃ）の位置は、第１の集光入射面１４ａと第２の集光入射面１４ｂとの境界から光軸ＡＸと平行な鉛直ラインと導光部１３の中心軸ラインとが交差する位置（点Ｐege）までとすればよい。さらに、線分ＯＰは、ＯＰ＝ＯＲとなるときを１としたときに、０．８〜１．２の範囲とすることが好ましい。
【００３２】
なお、突合部１６ｃの形状ついては、一対の傾斜面１６ａ，１６ｂが鋭角（直角）に付き合わされた尖形状に限らず、一対の傾斜面１６ａ，１６ｂの突き合わせ部分が平坦化された平面形状や、一対の傾斜面１６ａ，１６ｂの突き合わせ部分が丸みを帯びた曲面形状であってもよい。
【００３３】
反射部１２では、各第１の入射部１１Ａ及び各第２の入射部１１Ｂから入射した光Ｌを一対の傾斜面１６ａ，１６ｂにより導光部１３側へと互いに同一方向に向けて反射する。
【００３４】
導光部１３は、導光体９の基端側から先端側に向かって、その背面１３ａ側が正面１３ｂ側へと傾斜することによって、背面１３ａと正面１３ｂとが先端側で付き合わされた略三角平板状を有している。
【００３５】
導光体９では、反射部１２で反射された光Ｌを導光部１３の内部で導光しながら、導光部の背面１３ａ側に設けられた複数の反射カット１７により反射された光Ｌを導光部１３の正面１３ｂ側から外部へと出射することによって、導光部１３の正面側に設けられた発光部１８を発光させる。
【００３６】
複数の反射カット１７は、導光部１３の背面１３ａに入射した光を導光部１３の正面１３ｂに対して臨界角未満となる角度で反射させるものであればよく、その形状や大きさ、数等について、特に限定されるものではない。例えば、本実施形態の反射カット１７は、図７に拡大して示すように、導光部１３の背面１３ａを上下方向に切り欠く略Ｖ字状の溝部１７ａが周期的に並ぶことによって構成されている。
【００３７】
発光部１８は、図４〜図６に示すように、導光部１３の正面１３ｂ側において、複数の反射カット１７に対応した位置に発光面１８ａを有している。発光部１８では、複数の反射カット１７で反射された光によって発光面１８ａを略均一に発光させることができる。
【００３８】
ブラケット１０は、図２及び図３に示すように、前面（正面）側が開口した上側ケース１０ａと下側ケース１０ｂとにより構成されている。ブラケット１０は、上側ケース１０ａに第１の回路基板８Ａが取り付けられ、下側ケース１０ｂに第２の回路基板８Ｂが取り付けられた状態で、導光体９を上下方向で挟み込むように、これら上側ケース１０ａと下側ケース１０ｂとを突き合わせることによって構成されている。灯具ユニット２は、このブラケット１０を介してハウジング３の内側にネジ止めにより取り付けられる。
【００３９】
なお、ブラケット１０の内側には、導光部１３の背面１３ａと対向するリフレクター（図示せず。）を設けた構成としてもよい。これにより、導光部１３の背面１３ａから外部へと出射された光をリフレクターにより反射して、再び導光部１３の背面１３ａから内部へと入射させることが可能である。
【００４０】
ところで、本実施形態の車両用灯具１では、図１１に示すように、第１の光源７Ａと第２の光源７Ｂとの何れか一方の光源（第１の光源７Ａ）から出射された光Ｌが、第１の入射部１１Ａと第２の入射部１１Ｂとの何れか一方の入射部（第１の入射部１１Ａ）から入射する。
【００４１】
第１の入射部１１Ａから入射した光Ｌのうち、一部の光Ｌ３は、傾斜面１６ａにより導光部１３側へと反射される。また、第１の入射部１１Ａから入射した光Ｌのうち、一部の光Ｌ４は、突合部１６ｃよりも導光部１３側を通過して、何れか他方の入射部（第２の入射部１１Ｂ）から何れか他方の光源（第２の光源７Ｂ）に向けて出射された後、第２の光源７Ｂで反射される。
【００４２】
ここで、第１の光源７Ａ及び第２の光源７Ｂを構成するＬＥＤの表面は、このＬＥＤの表面に入射した光Ｌ４を拡散しながら反射する拡散反射面を構成している。これにより、第２の光源７Ｂで反射された光Ｌ４の一部は、第２の入射部１１Ｂから入射した後、傾斜面１６ｂにより導光部１３側へと反射される。これにより、第１の光源７Ａから出射された光Ｌ（Ｌ３，Ｌ４）は、導光部１３の厚み方向の全域に亘って導光されることになる。
【００４３】
同様に、本実施形態の車両用灯具１では、図示を省略するものの、第２の光源７Ｂから出射された光Ｌのうち、一部の光Ｌ３が、第２の入射部１１Ｂから入射し、傾斜面１６ｂにより導光部１３側へと反射される。また、第２の光源７Ｂから出射された光Ｌのうち、一部の光Ｌ４が、第２の入射部１１Ｂから入射し、突合部１６ｃよりも導光部１３側を通過して、第２の入射部１１Ｂから第１の光源７Ａに向けて出射された後、第１の光源７Ａで反射されることによって、第１の光源７Ａで反射された光Ｌ４の一部が、第１の入射部１１Ａから入射した後、傾斜面１６ｂにより導光部１３側へと反射される。これにより、第２の光源７Ｂから出射された光Ｌ（Ｌ３，Ｌ４）は、第１の光源７Ａから出射された光Ｌ（Ｌ３，Ｌ４）と同様に、導光部１３の厚み方向の全域に亘って導光されることになる。
【００４４】
以上のように、本実施形態の車両用灯具１では、第１の光源７Ａ及び第２の光源７Ｂから出射された光Ｌを、導光部１３（導光体９）の厚みを増加させることなく、この導光部１３（導光体９）の厚み方向において同一の光路で導光させることが可能である。
【００４５】
これにより、本実施形態の車両用灯具１では、導光体９の薄型化を図りつつ、互いに異なる位置（第１の入射部１１Ａ及び第２の入射部１１Ｂ）から入射した光を同一の光路で効率良く導光させることが可能である。
【００４６】
また、本実施形態の車両用灯具１では、導光体９の発光部１８を色光の異なる第１の光源７Ａ及び第２の光源７Ｂからの光により発光させる場合でも、第１の入射部１１Ａ及び第２の入射部１１Ｂの構成（形状）を複雑化することなく、導光体９の小型化を図ることが可能である。
【００４７】
なお、本発明は、上記実施形態のものに必ずしも限定されるものではなく、本発明の趣旨を逸脱しない範囲において種々の変更を加えることが可能である。
例えば、上記実施形態では、車両の前端側の両コーナー部に搭載される車両用灯具１として、白色発光する車幅灯（ポジションランプ）と、橙色発光で点滅する方向指示器（ターンランプ）とを組み合わせたポジションランプ兼ターンランプからなるものを例示しているが、車両の後端側の両コーナー部に搭載される車両用灯具として、赤色発光する尾灯（テールランプ）と、橙色発光で点滅する方向指示器（ターンランプ）とを組み合わせたテールランプ兼ターンランプからなるものに本発明を適用することも可能である。
【００４８】
なお、各国の法規に応じて、ターンランプの点滅（点灯）中は、ポジションランプ又はテールランプを点灯させたままとしたり、ポジションランプ又はテールランプを消灯させたりすることが可能である。
【００４９】
また、上記実施形態では、複数の第１の光源７Ａが白色光を出射し、複数の第２の光源７Ｂが橙色光を出射する構成となっているが、このような構成に必ずしも限定されるものではない。例えば、複数の第１の光源７Ａの中で、白色光を発する第１の光源７Ａと、橙色光を発する第１の光源７Ａとを交互に並べて配置し、複数の第１の光源７Ｂの中で、白色光を発する第２の光源７Ｂと、橙色光を発する第２の光源７Ｂとを交互に並べて配置した構成としてもよい。さらに、互いに対向した状態で配置される第１の光源７Ａと第２の光源７Ｂとが発する色光を異ならせた構成とすることも可能である。
【００５０】
また、上記実施形態では、色光の異なる第１の光源７Ａ及び第２の光源７Ｂを用いた場合を例示しているが、色光の同じ第１の光源７Ａ及び第２の光源７Ｂを用いた車両用灯具に対しても本発明を適用することが可能である。この場合、導光体９の薄型化を図りつつ、大光量での発光が可能となる。
【００５１】
また、本発明が適用可能な車両用灯具については、色光の同じ第１の光源７Ａ及び第２の光源７Ｂを用いた場合、例えば、車両用前照灯（ヘッドランプ）、車幅灯（ポジションランプ）、補助前照灯（サブヘッドランプ）、前部（後部）霧灯（フォグランプ）、昼間点灯ランプ（ＤＲＬ）、リッドランプ、尾灯（テールランプ）、ブレーキランプ（ストップランプ）、バックランプ、方向指示器（ウィンカーランプ）などの車両用灯具に対して、本発明を幅広く適用することが可能である。
【００５２】
また、上記第１の光源７Ａ及び第２の光源７Ｂについては、光を放射状に出射するものであればよく、上述したＬＥＤ以外にも、例えばレーザーダイオード（ＬＤ）などの発光素子を用いることができる。また、発光素子が発する光の色についても、白色光や赤色光、橙色光など、その用途に応じて適宜変更することも可能である。
【００５３】
また、上記車両用灯具１では、上述した略三角板状の導光体９を用いた場合を例示しているが、実際の車両のデザイン等に合わせて、上記導光体９の形状などを適宜変更することが可能である。
【符号の説明】
【００５４】
１…車両用灯具  ２…灯具ユニット  ３…ハウジング  ４…レンズカバー  ５…灯体  ６…アウターレンズ  ７Ａ…第１の光源  ７Ｂ…第２の光源  ８Ａ…第１の回路基板  ８Ｂ…第２の回路基板  ９…導光体  １０…ブラケット  １１Ａ…第１の入射部  １１Ｂ…第２の入射部  １２…反射部  １３…導光部  １４ａ…第１の集光入射面  １４ｂ…第２の集光入射面  １４ｃ…集光反射面  １５…突出部  １６…溝部  １６ａ，１６ｂ…傾斜面  １６ｃ…突合部  １７…反射カット  １８…発光部
【図１】
2019200927.tif 000003
【図２】
2019200927.tif 000004
【図３】
2019200927.tif 000005
【図４】
2019200927.tif 000006
【図５】
2019200927.tif 000007
【図６】
2019200927.tif 000008
【図７】
2019200927.tif 000009
【図８】
2019200927.tif 000010
【図９】
2019200927.tif 000011
【図１０】
2019200927.tif 000012
【図１１】
2019200927.tif 000013